(57)【要約】【課題】見た目の豪華さや高いデザイン性等の採光以外の項目に重点を置くことにより、マンションやビル等に好適なものとなるよう、意匠性に優れるとか見栄えのする欄間つき玄関ドアを提供する。【解決手段】ドア１と、ドア１を縦軸心Ｐ１周りで揺動開閉自在に枢支するとともに建物の躯体側に支持されるドア枠３と、ドア枠３におけるドア１の上側部分に構成される欄間部４と、を有する欄間付玄関ドアにおいて、ドア１の外側面に意匠用の装飾ドアパネル２２が装備され、欄間部４としての外側面に装飾ドアパネル２２と同一の外観を呈する装飾欄間パネル４０が装備された欄間体３９を設けるとともに、正面視においてはドア１と欄間体３９とが一連一体の形状を為す状態に装飾ドアパネル２２と装飾欄間パネル４０とを関係付けて形状設定する。【選択図】図１
2008025212.tif 000002
【特許請求の範囲】
【請求項１】
ドアと、前記ドアを縦軸心周りで揺動開閉自在に枢支するとともに建物の躯体に支持されるドア枠と、前記ドア枠における前記ドアの上側部分に構成される欄間部と、を有する欄間付玄関ドアであって、
前記ドアの外側面に意匠用の装飾ドアパネルが装備され、前記欄間部としての外側面に前記装飾ドアパネルと同一又はほぼ同一、或いは対をなす外観を呈する装飾欄間パネルが装備された欄間体を設けるとともに、正面視においては前記ドアと前記欄間体とが一連一体の形状を為す状態に前記装飾ドアパネルと前記装飾欄間パネルとが関係付けられて形状設定されている欄間付玄関ドア。
【請求項２】
前記ドアと前記欄間体との夫々の横断面における外側の外郭形状が互いに同一又はほぼ同一のものとされている請求項１に記載の欄間付玄関ドア。
【請求項３】
前記ドアは、ドア本体とこれの外側面に一体化される前記装飾ドアパネルとを有して成り、前記欄間体は、欄間本体とこれの外側面に一体化される前記装飾欄間パネルとで成り、前記ドア本体における枢支側の端部は、前記縦軸心を中心とする半円弧状の横断面形状を呈する状態に形成されている請求項１又は２に記載の欄間付玄関ドア。
【請求項４】
前記ドアの枢支側端部の上下に亘る部分と前記ドア枠との間隙を閉塞すべく前記縦軸心に沿う上下に長尺なシール部材が介装されるとともに、前記シール部材における前記ドアより上側に伸ばされたシール延長部が、前記欄間本体の側端部の上下に亘る部分と前記ドア枠との間をシールする構成とされている請求項３に記載の欄間付玄関ドア。
【請求項５】
前記ドアは、前記ドア本体の開き側の側端に隣る位置に配置され、かつ、前記ドア本体と対を成して観音開き構造を呈する状態に前記ドア枠に開閉自在に枢支される補助ドアを有しており、前記欄間体には、前記ドアと前記補助ドアとの間において前記ドアの上下に亘って形成される間隙と同じ幅を有し、かつ、前記間隙の前記ドア枠に対する左右方向の位置と互いに等しい左右方向位置において上下に延びる目地が形成されている請求項１〜４の何れか一項に記載の欄間付玄関ドア。
【請求項６】
前記補助ドアは、補助ドア本体とこれの外側面に一体化される装飾補助ドアパネルとを有して成り、前記装飾ドアパネル及び前記装飾補助ドアパネルには、前記ドアの上端又は下端から前記欄間体の上下長さと等しい又はほぼ等しい上下長さ毎に左右に延びる横目地が形成されている請求項５に記載の欄間付玄関ドア。
【発明の詳細な説明】
【技術分野】
【０００１】
本発明は、欄間付玄関ドアに係り、詳しくは欄間もドアの一部に見えるように構成させることでよりゴージャス感を出せるようにした欄間付玄関ドアに関するものである。
【背景技術】
【０００２】
欄間とは、採光や通風のために天井と鴨居との間に形成された開口部のことであり、装飾を兼ねるために格子や透かし彫りの板等を開口部に嵌めるように構成されたものも含んでいる。このように欄間は、通常、部屋と廊下、或いは部屋と部屋とを仕切る壁の上部に構成されるものとしての認識が一般的である。
【０００３】
そこで、欄間を玄関ドアの上側部分に設けたもの、即ち、欄間付玄関ドアとしては、特許文献１に示されたものが知られている。特許文献１においては、採光のためのガラス窓が装着された欄間を玄関ドアの上側に設ける構造のものが開示されている。つまり、ドア枠における開閉ドアの上側の部分にガラス窓が一体的に配備された一環構造の玄関ドア構造体とすることにより、建物の躯体に別途窓を設けることなく玄関内部の明るさを改善できるようにされたものである。
【０００４】
上述のように、採光ガラス構造の欄間付玄関ドアは、戸建住宅等の独立した建物には好適な仕様として多く用いられているものであるが、マンション、ビル、或いは高層建物においては好適とはなり難い面がある。何故なら、マンションやビルは、都会においては密接して建築されている場合が殆どであり、元々戸建住宅ほど玄関部分への日当たりが期待できるものではないことや、及び防犯上の点から玄関部分にガラス窓は設けるのはいかがなものか、という考えから採用が難しいと思われる。
【０００５】
寧ろマンションやビルの玄関としては、採光よりも見た目の豪華さや高いデザイン性等の嗜好性に関する付加価値を付けた方が商品価値が高くなると予測されるので、玄関ドアに欄間を設ける構造を採用するに当たっては、採光用ガラス窓以外の構成を企図することが肝要であると思われる。
【特許文献１】特開２００４−３２４２９２号公報
【発明の開示】
【発明が解決しようとする課題】
【０００６】
本発明の目的は、見た目の豪華さや高いデザイン性等の採光以外の項目に重点を置くことにより、マンションやビル等に好適なものとなるよう、意匠性に優れるとか見栄えのする欄間つき玄関ドアを提供する点にある。
【課題を解決するための手段】
【０００７】
請求項１に係る発明は、ドア１と、前記ドア１を縦軸心Ｐ１周りで揺動開閉自在に枢支するとともに建物の躯体Ｋに支持されるドア枠３と、前記ドア枠３における前記ドア１の上側部分に構成される欄間部４と、を有する欄間付玄関ドアにおいて、
前記ドア１の外側面に意匠用の装飾ドアパネル２２が装備され、前記欄間部４としての外側面に前記装飾ドアパネル２２と同一又はほぼ同一、或いは対をなす外観を呈する装飾欄間パネル４０が装備された欄間体３９を設けるとともに、正面視においては前記ドア１と前記欄間体３９とが一連一体の形状を為す状態に前記装飾ドアパネル２２と前記装飾欄間パネル４０とが関係付けられて形状設定されていることを特徴とするものである。
【０００８】
請求項２に係る発明は、請求項１に記載の欄間付玄関ドアにおいて、前記ドア１と前記欄間体３９との夫々の横断面における外側の外郭形状が互いに同一又はほぼ同一のものとされていることを特徴とするものである。
【０００９】
請求項３に係る発明は、請求項１又は２に記載の欄間付玄関ドアにおいて、前記ドア１は、ドア本体１Ｈとこれの外側面に一体化される前記装飾ドアパネル２２とを有して成り、前記欄間体３９は、欄間本体３９Ｈとこれの外側面に一体化される前記装飾欄間パネル４０とで成り、前記ドア本体１Ｈにおける枢支側の端部は、前記縦軸心Ｐ１を中心とする半円弧状の横断面形状を呈する状態に形成されていることを特徴とするものである。
【００１０】
請求項４に係る発明は、請求項３に記載の欄間付玄関ドアにおいて、前記ドア１の枢支側端部の上下に亘る部分と前記ドア枠３との間隙を閉塞すべく前記縦軸心Ｐ１に沿う上下に長尺なシール部材８が介装されるとともに、前記シール部材８における前記ドア１より上側に伸ばされたシール延長部８ａが、前記欄間本体３９Ｈの側端部の上下に亘る部分５０と前記ドア枠３との間をシールする構成とされていることを特徴とするものである。
【００１１】
請求項５に係る発明は、請求項１〜４の何れか一項に記載の欄間付玄関ドアにおいて、前記ドア１は、前記ドア本体１Ｈの開き側の側端に隣る位置に配置され、かつ、前記ドア本体１Ｈと対を成して観音開き構造を呈する状態に前記ドア枠３に開閉自在に枢支される補助ドア２を有しており、前記欄間体３９には、前記ドア１と前記補助ドア２との間において前記ドア１の上下に亘って形成される間隙４７と同じ幅を有し、かつ、前記間隙４７の前記ドア枠３に対する左右方向の位置と互いに等しい左右方向位置において上下に延びる目地４６が形成されていることを特徴とするものである。
【００１２】
請求項６に係る発明は、請求項５に記載の欄間付玄関ドアにおいて、前記補助ドア２は、補助ドア本体２Ｈとこれの外側面に一体化される装飾補助ドアパネル３３とを有して成り、前記装飾ドアパネル２２及び前記装飾補助ドアパネル３３には、前記ドア１の上端又か下端から前記欄間体３９の上下長さと等しい又はほぼ等しい上下長さ毎に左右に延びる横目地４９が形成されていることを特徴とするものである。
【発明の効果】
【００１３】
請求項１の発明によれば、欄間体とドアとでもって一つのドアに見えるようになる等、ドアと欄間とでもって一つの意匠に見える外観を呈するものとすることができる。つまり、従来では採光ガラス等のドアと独立した部分として捕らえていた欄間を、ドアと一連一体の形状を為すものとしてトータルで玄関ドアとして認識されるような構成としたものである。その結果、見た目の豪華さや高いデザイン性等の採光以外の項目に重点を置くことにより、マンションやビル等に好適なものとなるよう、意匠性に優れるとか見栄えのする欄間つき玄関ドアを提供することができる。
【００１４】
請求項２の発明によれば、正面視だけでなく、斜め前から見た場合のドアと欄間体との見た目も同じ又はほぼ同じものとすることが可能であり、請求項１の発明による前記効果を強化することができている。この場合、請求項３のように、ドア本体と装飾ドアパネルとでドアとし、欄間本体と装飾欄間パネルとで欄間体とすることにより、より意匠性に優れる外観の物とすることが可能でになるとともに、枢支側端の断面形状を半円弧状とすることにより、ドアを開いた場合に指詰め等の不都合が起きないように、ドアとドア枠との間隙変化が生じないようにすることができる。
【００１５】
請求項４の発明によれば、ドアとドア枠との間隙を密封するためのシール材が、欄間体とドア枠との間隙をも密封する構成とされているので、一つの部材（シール部材）のみでドア枠とドア及び欄間体との双方のシールが行える合理性が備わるだけでなく、ドアを斜め前から見た場合の細部に亘る部分の外観も同じものとすることができ、より意匠性も向上する欄間付玄関ドアを提供することができる。
【００１６】
請求項５の発明は、補助ドアを有する欄間付玄関ドアを規定するものであり、主ドアの上下に亘って形成される主ドアと補助ドアとの間隙と左右方向の位置を同じくされた縦目地を欄間体に形成してある。これにより、主ドア及び補助ドア共に、見た目には欄間体を含無上下高さのドアとして認識できるものとなり、請求項１の発明による前記効果を、補助ドアを有する欄間付玄関ドアにおいても奏することができる利点がある。
【００１７】
請求項６の発明によれば、主ドアと補助ドアとは、欄間体の上下幅と同じ上下幅を有する複数の装飾ドアパネル及び装飾補助ドアパネルとによって表面形状が形成されるようになるので、主ドアと欄間体及び補助ドアと欄間体とには横幅だけでなく縦幅に関しても一体感が付与されることとなり、主ドア、補助ドア、及び欄間体の三者が寄り密接に関係しあった一体感のある外観をて呈する意匠性により優れる欄間付下巻ドアとして提供することができる。
【発明を実施するための最良の形態】
【００１８】
以下に、本発明による欄間付玄関ドアの実施の形態を、図面を参照しながら説明する。図１，図２はそれぞれ欄間付玄関ドアの正面図と背面図、図３，図４はそれぞれ主ドアと補助ドアの枢支部分の縦断面図、図５，図６はそれぞれ主ドア部分と欄間部分の横断面図、図７，図８は別実施例による欄間付玄関ドアの正面図である。
【００１９】
〔実施例１〕
実施例１による欄間付玄関ドアＡは、図１，図２に示すように、マンションの玄関ドアとして採用されたものであり、主ドア１と、補助ドア２と、主ドア１を縦軸心Ｐ１周りで、かつ、補助ドア２を縦軸心Ｐ２周りで揺動開閉自在に枢支するとともに建物の躯体側Ｋに支持されるドア枠３と、ドア枠３における主ドア１の上側部分に構成される欄間部４とを有して構成されている。尚、Ｔは天井、Ｆは床である。
【００２０】
主ドア１は、正面視におけるドア枠３の右側端に設けられた第１縦軸心Ｐ１を支点として揺動開閉自在に枢支され、かつ、補助ドア２は、正面視におけるドア枠３の左側端に設けられた第２縦軸心Ｐ２を支点として揺動開閉自在に枢支されている。補助ドア２は、通常はドア枠３に図示しないロック装置によって閉じ姿勢に係止維持されており、主ドア１のみを開閉して用いる構成とされている。家具等の大きな荷物や什器等の出し入れの際には、補助ドア２も開いて大きな開口部を得ることができる。主ドア１、補助ドア２、及び欄間部４の前面側は互いに同一の色、模様が施されており、各ドア１，２を閉じた状態の正面視では、両ドア１，２及び欄間部４が全てドアのように見えるといった具合に、一つの意匠体として認識（視認）される状態に構成されている。
【００２１】
玄関壁Ｗに埋め込まれ配置されるドア枠３は、図３〜図６に示すように、左縦枠３Ｌ、右縦枠３Ｒ、上横枠３Ａ、下横枠３Ｂ、及び中間横枠３Ｃとを有して成り、正面視においては中間横枠３Ｃ以外の部分が見え、かつ、背面視においては全ての枠３Ｌ，３Ｒ，３Ａ，３Ｂ，３Ｃが見える状態に構成されている。これらの枠３Ｌ，３Ｒ，３Ａ，３Ｂ，３Ｃは、ステンレス鋼板、圧延鋼板等のスチール材を用いて形成されている（戸建住宅等ではアルミ合金材が使用されることもある）。
【００２２】
左右縦枠３Ｌ，３Ｒは互いに線対称の断面形状を持つものであって、厚みの厚い断面Ｌ字形のブラケット５と、ブラケット５の両端に亘って連結されて中空体を作るためのチャンネル鋼６と、断面Ｌ字形状の取付用型鋼７と、を有する高強度の中空枠体に形成されている。チャンネル鋼６は、階段状の断面形状を有する前側型鋼６Ａと、略Ｌ字形の断面形状を呈する後側型鋼６Ｂとから成り、主ドア１や補助ドア２との間隙を密封するためのの上下に長いシール部材８を装備するためのシール用凹み部６ａ、及び各ドア１，２を開いたときにおいて装飾ドアパネル２２（後述）や装飾補助ドアパネル３３（後述）との干渉を避けるための逃げ凹み部６ｂが形成されている。
【００２３】
シール部材８は、中空各断面形状を有するシール基部８Ａと、いずれかのドア１，２に押圧接触する複数（２枚）のシールリップ８Ｂ，８Ｂとを有するゴム製のものに形成されている。シール用凹み６ａは、前側型鋼６Ａにおける横向き壁と、これに直交する前後向き壁と、後側型鋼６Ｂにおける折り返し前後向き壁６ｃとの三壁で囲まれた上下に長い凹入溝として形成されており、シール基部８Ａを圧入的な嵌め入れ装着が自在に構成されている。逃げ凹み部６ｂは、シール用凹み６ａの前方側において前側型鋼６Ａに形成される横向き壁と前後向き壁とが直交する部位、即ち、二辺で挟まれる隅角部として形成されている。
【００２４】
上横枠３Ａは、厚みの厚い断面Ｌ字形のブラケット９と、段差状の断面形状を呈する下側型鋼１０と、下側型鋼１０の内面側に配置される断面Ｌ字形のトロカバー１１と、断面Ｌ字形状の取付用型鋼１２と、を有する高強度の部材に形成されている。下横枠３Ｂは、厚みの厚い断面Ｌ字形の支持部材１３と、段差状の断面形状を呈するステンレス鋼板製の下段カバー１４と、断面略Ｌ字形状でステンレス鋼板製の上段カバー１５と、断面Ｌ字形の補強型鋼１６と、を有する中空で高強度の部材に形成されている。中間横枠３Ｃは、後方開放断面を有する内側型鋼１７と、これの上下及び後側を覆う板金カバー１８と、を有する中空で高強度の部材に形成されており、左右の縦枠３Ｌ，３Ｒに架設連結支持されている。
【００２５】
下横枠３Ｂには、上段カバー１５の折り返し庇壁１５ａと下段カバー１４の隅角部とで形成される前方開口の下横臥溝１９が形成されており、この下横臥溝１９には、各ドア１，２夫々の内側壁１ｎ，２ｎの下端部に押圧接触して各ドア１，２と下横枠３Ｂ（ドア枠３）との間を密封するシール部材２０が装着される。そして中間横枠３Ｃには、板金カバー１８の折り返し庇壁１８ａと内側型鋼１７の隅角部とで形成される前方開口の中間横臥溝２１が形成されており、この中間横臥溝２１には、各ドア１，２夫々の内側壁１ｎ，２ｎの上端部に押圧接触して各ドア１，２と中間横枠３Ｃ（ドア枠３）との間を密封するシール部材２０が装着される。シール部材２０は、各溝１９，２１に圧入されるシール基部２０ａと、管状のシール部２０ｂとを有して成るゴム製のものに形成されている。
【００２６】
主ドア１は、図１〜図４に示すように、内部にグラスウール等の断熱材や吸音材が充填された中空で矩形を呈するドア本体１Ｈ、これの外側面に一体化される複数（５枚）の装飾ドアパネル２２及び開閉機能部２３等を有して構成されている。ドア本体１Ｈの右側壁には、断面が半円弧を呈する中空のパイプ部材２４が一体的に取り付けられており、それによってドア本体Ｈにおける枢支側の端部は、第１縦軸心Ｐ１を中心とする半円弧状の横断面形状を呈する状態に形成されている。ドア本体１Ｈの右端部の下端部及び上端部には、主ドア１を揺動開閉自在にドア枠３に枢支するための凹凸嵌合構造による下及び上枢支構造部２５，２６が構成されている。
【００２７】
上枢支構造部２６は、図３に示すように、ドア本体１Ｈの内部において頑強に支持されている大筒部材２７と、この大筒部材２７の上端部に一体的に内嵌支持される小筒部材２８とから成り、小筒部材２８は、その上端部が欄間体３９に挿入可能となるようにドア本体１Ｈよりも上方に突出されている。下枢支構造部２５は公知の構造に付き、詳細な説明は割愛する。小筒部材２７の内部空間には、複数本の電線で成る通信用ケーブルＣａが挿通自在となっている。
【００２８】
装飾ドアパネル２２は、表面に木目模様の意匠が焼付けられた板金製で所定の厚み寸法を有する箱形状の化粧パネルに形成されている。そして、互いに上下寸法の等しい５枚の装飾ドアパネル２２が隙間無く並べられてドア本体１Ｈの前側面に一体的に装備されている。ただし、上から３番目の装飾ドアパネル２２だけは幅が狭く形成してあり、それによって補助ドア側に開閉機能部２３を配置させてある。尚、装飾ドアパネル２２の上下幅は、後述する欄間パネル４０の上下幅とほぼ同寸法に形成されている。
【００２９】
開閉機能部２３は、補助ドア２に対して機能する上下一対の施錠装置２９，２９と、防犯センサ３０と、ドアノブ３１等を有して構成されており、その部分におけるドア本体１Ｈの前面側には、装飾ドアパネル２２の厚さと同じ厚さを有する厚肉のステンレス鋼板で成る錠前パネル３２が一体的に装備されている。つまり、上から３番目の装飾ドアパネル２２は、錠前パネル３２を合わせることでその他４枚の装飾ドアパネル２２と正面視において互いに同じ大きさのものとなるように構成されている。防犯センサ３０は、例えば、補助ドア２に設けた反射体と対を為す光学式又は電子式のものとして上側の施錠装置２９に内装され、建物側からドア枠と欄間体との内部、小筒部材２８の内部通路、及びドア本体１Ｈの内部を通されて配策される通信用ケーブルＣａを有している。
【００３０】
補助ドア２は、図１〜図６に示すように、中空で矩形を呈する補助ドア本体２Ｈ、これの外側面に一体化される複数（５枚）の装飾補助ドアパネル３３、及び主ドア受け部３６等を有して構成されている。補助ドア本体２Ｈの左側壁には、断面が半円弧を呈する中空のパイプ部材２４が一体的に取り付けられており、それによって補助ドア本体２Ｈにおける枢支側の端部は、第２縦軸心Ｐ２を中心とする半円弧状の横断面形状を呈する状態に形成されている。補助ドア本体２Ｈの左端部の下端部及び上端部には、補助ドア２を揺動開閉自在にドア枠３に枢支するための凹凸嵌合構造による下及び上枢支構造部３４，３５が構成されている。
【００３１】
図示は省略するが、補助ドア２を閉じ姿勢においてドア枠３に係止固定する係止手段が装備されていて、通常は閉じ姿勢に維持されている。そのため、閉じ揺動する主ドア１を受止める機能や、主ドア１を閉じ姿勢にロックする機能が補助ドア２には盛り込まれている。即ち、補助ドア本体２Ｈの主ドア側の端部には、閉じ姿勢における主ドア１の開き先端側の後側に回りこむ状態に配置される主ドア受け部３６が一体形成されている。主ドア受け部３６は、補助ドア本体の２Ｈの前後厚みと同程度の前後厚みを有して上下に延びる中空の板金部材に形成されており、主ドア１の後面先端部との間を密封するためのシール部材３７（左右に延びる前述のシール部材２０と同等のもの）を装備するための縦シール用溝３８が形成されている。
【００３２】
補助ドア本体２Ｈのドア側端面には、主ドア１の施錠装置２９と対を為す装置受け部２９Ａが形成されている。詳細図は省略するが、一般的な装置受け部２９Ａとしては、施錠装置２９として主ドア１に出退移動自在に装備されるロックバー２９ａの先端部が挿脱自在となるように補助ドア本体２Ｈの主ドア側端面に形成されるな挿通孔が挙げられる。主ドア１を閉じた状態では、図５に示すように、シール部材３７を介して主ドア受け部３６が主ドア１の先端部を受け止めており、その閉じ状態において施錠装置２９をロック作動すればロックバー２９ａが左方向（補助ドア方向）にスライド移動してその先端部が挿通孔２９Ａに入り込むロック状態を得ることができる。また両ドア１，２の閉じ状態においては、図５に示すように、装飾ドアパネル２２と装飾補助ドアパネル３３とは同一面となるように構成されている。
【００３３】
欄間部４は、図１〜図４、及び図６に示すように、欄間本体３９Ｈとこれの外側面に一体化される装飾欄間パネル４０とを有して成る欄間体３９と、この欄間体３９をドア枠３に止着するための欄間枠４１とから構成されている。欄間枠４１は、上横枠３Ａと中間横枠３Ｃとの間に嵌め込まれて配置固定される強度部材としての支持箱体４１Ａと、この支持箱体４１Ａの室内側（内部側）に取付けられる内部装飾パネル４１Ｂとから構成されている。欄間本体３９Ｈは、ドア本体１Ｈや補助ドア本体２Ｈと同等の厚み寸法を有する板金製で箱状のものであり、上横枠３Ａと中間横枠３Ｃとに亘る状態で支持箱体４１Ａに取付けられている。また、欄間本体３９Ｈの左右両端面には断面半円弧形状を呈するパイプ部材５０が取付けられている。
【００３４】
装飾欄間パネル４０は、欄間本体３９Ｈと同等の上下長さ寸法、及び装飾ドアパネル２２と同等の厚み寸法を有する板金製のものとして欄間本体３９Ｈの外面側に一体的に取付けられている。欄間本体３９Ｈの両端部の下端部には、主ドア１を第１縦軸心Ｐ１回りで枢支すべく小筒部材２８の内嵌挿通が自在な主枢支孔部４２と、補助ドア２を第２縦軸心Ｐ２回りで枢支すべく、上枢支構造部３５を構成する支軸４３の内嵌挿通が自在な補助枢支孔部４４とが設けられている。装飾欄間パネル４０は、装飾ドアパネル２２と同寸法の横幅を有するドア側パネル部４０Ａと、装飾補助ドアパネル３３と同寸法の横幅を有する補助ドア側パネル部４０Ｂとを備えて構成されている。
【００３５】
装飾欄間パネル４０と上横枠３Ａとの上下間には、装飾欄間パネル４０と各装飾パネル２２，３３との上下間隙と同等の上下寸法を有する横間隙（上下に延びる目地の一例）４５が形成されている。そして、ドア側パネル部４０Ａと補助ドア側パネル部４０Ｂとの間には、各ドア１，２の閉じ姿勢における装飾ドアパネル２２と装飾補助ドアパネル３３との間の間隙と同等の左右幅寸法を有する欄間縦間隙４６が形成されている。以上により、欄間部４としての外側面に装飾ドアパネル２２と同一の外観を呈する補助ドア側パネル部４０Ｂとで成るドア側パネル部４０Ａと、装飾補助ドアパネル３３と同一の外観を呈する装飾欄間パネル４０が装備された欄間体３９を設けるとともに、図１に示すように、正面視においてはドア１、補助ドア２、及び欄間体３９とが長方形（「一連一体の形状」の一例）を為す状態に装飾ドアパネル２２と装飾補助ドアパネル３３と装飾欄間パネル４０とが関係付けられて形状設定されている。
【００３６】
そして、図５，図６に示すように、ドア１と補助ドア２と欄間体３９との夫々の横断面における外側の外郭形状、詳しくは左右のシール部材８，８から前側の部分の外郭形状が互いに同一のものとされている。欄間体３９における左右のパイプ部材５０，５０における半円弧の中心は、対応する第１及び第２縦軸心Ｐ１，Ｐ２に一致しており、枢支側の端部の上下に亘る部分と前記ドア枠との間隙を閉塞すべく前記縦軸心に沿う上下に長尺なシール部材が介装されるとともに、左右一対の縦向きのシール部材８，８におけるドア１及び補助ドア２より上側に伸ばされたシール延長部８ａが、欄間本体３９Ｈの側端部の上下に亘る部分、つまりはパイプ部材５０とドア枠３との間をシールする構成とされている。
【００３７】
欄間体３９の欄間縦間隙（目地）４６は、ドア１と補助ドア２との間においてドア１の上下に亘って形成されるドア縦間隙（目地）４７と同じ幅を有し、かつ、ドア縦間隙４７のドア枠３に対する左右方向の位置と互いに等しい左右方向位置において上下に延びる状態で形成されており、かつ、最上段の装飾ドアパネル２２とドア側パネル部４０Ａとの上下間、及び最上段の装飾補助ドアパネル３３と補助ドア側パネル部４０Ｂとの上下間にも欄間縦間隙４６と同等の幅を有する横間隙（目地）４８が形成されている。また、上下に隣り合う装飾ドアパネル２２，２２どうしの間、及び上下に隣り合う装飾補助ドアパネル３３，３３どうしの間も横目地４９として見えることにより、実施例１の玄関ドアＡにおいては、左右長さの長い上下６枚の装飾パネル４０Ａ，２２と、左右長さの短い上下６枚の装飾パネル４０Ｂ，３３とから成る一つの意匠に見える外観を呈しており、恰も床Ｆから天井Ｔまでの上下間が全て玄関ドアに見えるようになっている。
【００３８】
主ドア本体１Ｈ及び補助ドア本体２Ｈ夫々の枢支側端を為すパイプ部材２４と、欄間体３９の左右両端を為すパイプ部材５０とが、断面半円弧状で互いに同一の形状、寸法のものに構成され、かつ、ドア枠３とは単一のシール部材８を介してシールされる構造を採ることにより、部材としての形状のみならずその取付構造も互いに同じものとすることで、より視覚的な同一感が増し、玄関ドア１がドア側パネル部４０Ａを含む大きさに、かつ、補助ドア２が補助ドア側パネル部４０Ｂを含む大きさにそれぞれ見えるという、豪華で迫力があり、よりハイグレードな外観を持つ欄間つき玄関ドアになっている。
【００３９】
〔別実施例１〕
図７に示すように、欄間体３９の外面を主ドア１の外面の一部とみなしたデザイン（「一連一体の形状」の一例）を施すことにより、主ドア１と装飾欄間パネル４０とが一つのドアのように見える欄間付玄関ドアＡでも良い。この場合、補助ドア２のデザインも補助ドア側パネル部４０Ｂを一部として含むものとすれば、錯覚によってドアが拡大されたように見せることができる。この場合は、装飾ドアパネル２２とドア側パネル部４０Ａとは互いに対を成す外観に形成され、かつ、装飾補助ドアパネル３３と補助ドア側パネル部４０Ｂとは互いに対を成す外観に形成されている。
【００４０】
〔別実施例２〕
図８に示すように、主ドア１、補助ドア１、及び欄間体３９の三者に跨る状態で一つのデザイン（「一連一体の形状」の一例）が施された欄間付玄関ドアＡでも良い。この場合でも、主ドア１と装飾欄間パネル４０とで一つのドアのように見える効果や、補助ドア２と補助ドア側パネル部４０Ｂとで一つの補助ドアのように見える効果を得ることができる。この場合は、装飾ドアパネル２２とドア側パネル部４０Ａとは互いに対を成す外観に形成され、かつ、装飾補助ドアパネル３３と補助ドア側パネル部４０Ｂとは互いに対を成す外観に形成されるとともに、装飾ドアパネル２２と装飾補助ドアパネル３３とが互いに対を成す外観に形成され、かつ、ドア側パネル部４０Ａと補助ドア側パネル部４０Ｂとも互いに対を成す外観に形成されている。
【００４１】
〔その他の別実施例〕
補助ドアを有さない構造の欄間付玄関ドアにも本発明の適用（図７や図８の左側部分のみのような構成）が自在である。例えば、装飾ドアパネル２２とドア側パネル部４０Ａとの双方による正面視の形状が縦長の楕円形であるとかＸ形であるといった具合に、装飾ドアパネル２２とドア側パネル部４０Ａとの色や模様、形状は種々の変更が可能である。
【図面の簡単な説明】
【００４２】
【図１】欄間付玄関ドアの正面図（実施例１）
【図２】図１における内部側正面図（背面図）
【図３】図１における玄関ドア部分の縦断面図
【図４】図１における補助ドア部分の縦断面図
【図５】図１におけるドア部分の横断面図
【図６】図１における欄間部分の横断面図
【図７】別実施例１による欄間付玄関ドアの正面図
【図８】別実施例２による欄間付玄関ドアの正面図
【符号の説明】
【００４３】
１          ドア
１Ｈ        ドア本体
２          補助ドア
３          ドア枠
４          欄間部
８          シール部材
８ａ        シール延長部
２２        装飾ドアパネル
３３        装飾補助ドアパネル
３９        欄間体
３９Ｈ      欄間本体
４０        装飾欄間パネル
４６        目地
４７        間隙
４９        横目地
５０        側端部の上下に亘る部分
Ｐ１        縦軸心
【図１】
2008025212.tif 000003
【図２】
2008025212.tif 000004
【図３】
2008025212.tif 000005
【図４】
2008025212.tif 000006
【図５】
2008025212.tif 000007
【図６】
2008025212.tif 000008
【図７】
2008025212.tif 000009
【図８】
2008025212.tif 000010